(57)【要約】【課題】屋根断熱構造体の施工が容易になると共に、施工による断熱性や通気性のばらつきが少なくなる上、安価に実施できる屋根断熱構造と屋根断熱構造体の施工方法を提供する。【解決手段】屋根を構成する横架材７，２の相互の対向面に工場において断熱パネル支持用受部材１１，１２を固定しておく。断熱パネル８Ａ〜８Ｃの横架材対向面には、工場において、上下面に対して傾斜した横架材対向面８ａ，８ｂと、受部材１１，１２に嵌める欠除部８ｅ、８ｆとを形成しておくと共に、横架材対向方向の断熱パネルの幅Ｌを、設計されている隣接横架材間隔に合わせて形成しておく。工場において、前記断熱パネル８Ａ〜８Ｃの周囲にパッキン１３ａ、１３ｂを貼り付けておく。上下に隣接する横架材と左右の登り梁との間で囲まれた空間に上方より断熱パネル８Ａ〜８Ｃを嵌め込んで断熱パネルを施工する。【選択図】図８
2012117283.tif 000002
【特許請求の範囲】
【請求項１】
横架材の相互の対向面に固定する断熱パネル支持用受部材と、
隣接する横架材間に嵌まる幅を有すると共に、前記横架材に対向する両端面に前記受部材に嵌める欠除部を有し、かつ前記横架材に対向する面が上下面に対して傾斜して形成された断熱パネルと、
前記断熱パネルの側部と隣接する断熱パネルの側部または登り梁との間、および前記断熱パネルと前記横架材または前記受部材との間に設けられ、相互間の隙間を閉塞するパッキンとを備え、
前記断熱パネルが隣接する横架材間に上方より嵌め込まれると共に、前記欠除部が前記受部材に嵌めて取付けられ、前記横架材上に固定される垂木と前記断熱パネルの上面との間に隙間が形成されることを特徴とする屋根断熱構造。
【請求項２】
請求項１に記載の屋根断熱構造において、前記パッキンを前記断熱パネルに貼り付けて設けたことを特徴とする屋根断熱構造。
【請求項３】
請求項１または２に記載の屋根断熱構造において、前記断熱パネルの側部に相互に重ね合わされる段差部を有し、
前記段差部を構成する上下に対向する面の一方の面に、相互の隙間を閉塞するパッキンを備えたことを特徴とする屋根断熱構造。
【請求項４】
屋根を構成する横架材の相互の対向面に工場において断熱パネル支持用受部材を固定しておき、
断熱パネルの横架材対向面には、工場において、上下面に対して傾斜した横架材対向面と、前記受部材に嵌める欠除部とを形成しておくと共に、横架材対向方向の断熱パネルの幅を、設計されている隣接横架材間隔に合わせて形成しておき、
さらに工場において、前記断熱パネルの周囲における、登り梁に対向する面、および前記横架材または前記受部材に対向する面にパッキンを貼り付けておき、
前記上下に隣接する横架材と左右の登り梁との間で囲まれた空間に上方より前記断熱パネルを嵌め込むと共に、前記受部材に前記欠除部を嵌めて前記断熱パネルを前記空間に固定し、
前記横架材上に垂木を固定して前記垂木と前記断熱パネルとの間に通気層となる隙間を形成することを特徴とする屋根断熱構造体の施工方法。
【請求項５】
請求項４に記載の屋根断熱構造体の施工方法において、前記登り梁間に複数枚の断熱パネルを並設して取付ける構造を施工する場合、
前記断熱パネルの側部に、工場において、隣接する断熱パネルの側部どうしを相互に重ね合わされる段差部を形成し、かつ前記段差部の上下に対向する面の一方の面に、相互の隙間を閉塞するパッキンを貼り付けておき、
断熱パネルの施工の際に、隣接する断熱パネルの側部の段差部どうしを前記パッキンを介して重ねることを特徴とする屋根断熱構造体の施工方法。
【発明の詳細な説明】
【技術分野】
【０００１】
本発明は、屋根に断熱パネルを取付けてなる屋根断熱構造と、この構造を実現するための屋根断熱構造体の施工方法に関する。
【背景技術】
【０００２】
省エネ構造を実現するための屋根断熱構造として、従来より、図１１（Ａ）に示すものが一般的に採用されている。この構造は、軒桁６０とその上に隣接する母屋梁（図示せず）との間、または隣接する母屋梁の間に、フェルト状の断熱材６３を取付ける構造である。この断熱材６３は下面に防湿シート６３ａを貼ったものであり、フェルト状をなすので、下面から支持する必要がある。このため、図１１（Ｂ）に示すように、格子状に構成された野縁６４の間から下方より断熱材６３を挿入して野縁６４上で断熱材６３を伸ばして施工する。６１は垂木、１２は屋根材である。
【０００３】
従来の他の屋根断熱構造として、特許文献１に開示された図１２に示すものがある。これは、図１２（Ａ）、（Ｂ）に示すように、工場において予め母屋梁６５,６５間の幅Ｗにほぼ合致する４角形の断熱パネル６６を作製しておき、図１２（Ｂ）に示すように、現場において、断熱パネル６６の上端部を、垂木６１の傾斜に合わせた三角形の形状のピース６６ａに切断する。そして、図１２（Ｃ）に示すように、断熱パネル６６の主要部分６６ｂを母屋梁６５，６５間に下方から挿入すると共に、主要部分６６ｂの下端部と母屋梁６５との間に三角形のピース６６ａを挿入してこのピース６６ａを釘等の固定具（図示せず）によって固定することにより、断熱パネル６６を母屋梁６５,６５間に取付けている。
【０００４】
従来の他の屋根断熱構造として、さらに特許文献２に開示された図１３に示すものがある。これは、図１３（Ａ）、（Ｂ）に示すように、断熱パネル６８の下面に、軒桁６０、母屋梁６５、棟木６９に嵌まる切欠き６８ａ，６８ｂ，６８ｃを設けると共に、上面には垂木６１を嵌める溝６８ｄを設けておく。そして施工現場において、図１３（Ｂ）に示すように、断熱パネル６８の下面の切欠き６８ａ，６８ｂ，６８ｃを軒桁６０、母屋梁６５、棟木６９に嵌めて断熱パネル６８を固定し、断熱パネル６８の溝６８ｄに垂木６１を嵌めて固定する。
【先行技術文献】
【特許文献】
【０００５】
【特許文献１】特許第４００９１８７号公報
【特許文献２】特開２００２−２８５６８３号公報
【発明の概要】
【発明が解決しようとする課題】
【０００６】
上述した従来の屋根断熱構造には下記のような問題点がある。図１１に示すようにフェルト状の断熱材６３を用いるものは、作業者は脚立等に載って野縁６４の下から断熱材６３を挿入して軒桁６０を伸ばして隙間を無くす必要があるので、施工が容易ではない上、施工に手間がかかるという問題点がある。また、現場における作業者の技能に仕上がりが依存しているので、断熱性や通気性にばらつきを生じる虞があるという問題点がある。
【０００７】
また、図１２に示すように、現場において断熱パネル６６を切断して下方より母屋梁６５，６５間に下方より挿着し、さらに切断したピース６６ａを母屋梁６５と残りの主体部分６６ｂとの間に下方より挿着して固定するものは、図１２の場合と同様に断熱パネル６６を下方から取付けるため、施工が容易ではない上、施工に手間がかかるという問題点がある。また、断熱パネル６６の主要部分６６ｂと上方の母屋梁６５との接合位置が矢印Ｙに示すように高低方向にばらつきやすく、断熱性にばらつきを生じる虞があるという問題点がある。また、断熱パネル６６の主要部分６６ｂの施工位置が上下にばらつくため、この主体部分６６ｂと垂木６１との間の隙間がなくなるかあるいは小さくなる場合があり、その場合には、左右方向の通気性が悪くなって屋根構成部材に結露を生じやすくなるという問題点がある。
【０００８】
また、図１３に示すように、断熱パネル６８の下面の切欠き６８ａ，６８ｂ，６８ｃを軒桁６０、母屋梁６５、棟木６９に嵌めて断熱パネル６８を固定し、断熱パネル６８の溝６８ｄに垂木６１を嵌めて固定する構造のものは、断熱パネル６８を上方から取付けることができるので、図１１や図１２に示したものに比較して施工は容易になるという利点がある。しかしながら、この構造においては、断熱パネル６８により軒桁６０、母屋梁６５、棟木６９をカバーする構造であるため、断熱パネル６８が広くなり、大掛かりのパネル成形装置が必要となるので、製造コストがかさむという問題点がある。また、断熱パネル６８の上面に設けた溝６８ｄに垂木６１を嵌める構造であるため、垂木６１と断熱パネル６８との間に隙間がなく、断熱パネル６８上における左右方向の通気性が無いため、左右方向の通気性が悪くなって屋根構成部材に結露を生じやすくなるという問題点がある。
【０００９】
本発明は、上記問題点に鑑み、屋根断熱構造体の施工が容易になると共に、施工による断熱性や通気性のばらつきが少なくなる上、安価に実施できる屋根断熱構造と屋根断熱構造体の施工方法を提供することを目的とする。
【課題を解決するための手段】
【００１０】
請求項１の屋根断熱構造は、横架材の相互の対向面に固定する断熱パネル支持用受部材と、
隣接する横架材間に嵌まる幅を有すると共に、前記横架材に対向する両端面に前記受部材に嵌める欠除部を有し、かつ前記横架材に対向する面が上下面に対して傾斜して形成された断熱パネルと、
前記断熱パネルの側部と隣接する断熱パネルの側部または登り梁との間、および前記断熱パネルと前記横架材または前記受部材との間に設けられ、相互間の隙間を閉塞するパッキンとを備え、
前記断熱パネルが隣接する横架材間に上方より嵌め込まれると共に、前記欠除部が前記受部材に嵌めて取付けられ、前記横架材上に固定される垂木と前記断熱パネルの上面との間に隙間が形成されることを特徴とする。
【００１１】
請求項２の屋根断熱構造は、請求項１に記載の屋根断熱構造において、前記パッキンを前記断熱パネルに貼り付けて設けたことを特徴とする。
【００１２】
請求項３の屋根断熱構造は、請求項１または２に記載の屋根断熱構造において、前記断熱パネルの側部に相互に重ね合わされる段差部を有し、
前記段差部を構成する上下に対向する面の一方の面に、相互の隙間を閉塞するパッキンを備えたことを特徴とする。
【００１３】
請求項４に記載の屋根断熱構造体の施工方法は、屋根を構成する横架材の相互の対向面に工場において断熱パネル支持用受部材を固定しておき、
断熱パネルの横架材対向面に、工場において、上下面に対して傾斜した横架材対向面と、前記受部材に嵌める欠除部とを形成しておくと共に、横架材対向方向の断熱パネルの幅を、設計されている隣接横架材間隔に合わせて形成しておき、
さらに工場において、前記断熱パネルの周囲における、登り梁に対向する面、および前記横架材または前記受部材に対向する面にパッキンを貼り付けておき、
前記上下に隣接する横架材と左右の登り梁との間で囲まれた空間に上方より前記断熱パネルを嵌め込むと共に、前記受部材に前記欠除部を嵌めて前記断熱パネルを前記空間に固定し、
前記横架材上に垂木を固定して前記垂木と前記断熱パネルとの間に通気層となる隙間を形成することを特徴とする。
【００１４】
請求項５に記載の屋根断熱構造体の施工方法は、請求項４に記載の屋根断熱構造体の施工方法において、前記登り梁間に複数枚の断熱パネルを並設して取付ける構造を施工する場合、
前記断熱パネルの側部に、工場において、隣接する断熱パネルの側部どうしを相互に重ね合わされる段差部を形成し、かつ前記段差部の上下に対向する面の一方の面に、相互の隙間を閉塞するパッキンを貼り付けておき、
断熱パネルの施工の際に、隣接する断熱パネルの側部の段差部どうしを前記パッキンを介して重ねることを特徴とする。
【発明の効果】
【００１５】
請求項１の発明によれば、軒桁、母屋梁または棟木からなる横架材の対向面に断熱パネル支持用受部材を設け、これらの受部材に、断熱パネル両端の欠除部を嵌めて断熱パネルを横架材間に上方から嵌め込む構造としたので、断熱パネルからなる屋根断熱構造体の施工を容易に行なうことができる。
【００１６】
また、隣接する横架材の対向面にそれぞれ設けた受部材により断熱パネルが支持されるので、特許文献１に記載のように、隣接する横架材のうちの一方の対向面の設けた受部材で断熱パネルを支持する場合に比較し、施工における断熱パネルの取付け位置や傾斜等のばらつきが小さくなり、断熱パネルの位置精度が高まり、良好な断熱性が得られる。
【００１７】
また、断熱パネルの上面と垂木との間に通気層となる隙間を形成したので、屋根材の下面における左右方向の通気性が確保される。また、前述のように断熱パネルの設置精度が高まるので、前記通気層となる隙間が一定幅で確保でき、左右方向の通気性が確実に確保できる。
【００１８】
また、前述のように断熱パネルを精度良く施工することが可能であるため、横架材と断熱パネルとの間の隙間にシール材で詰める等の後作業が不要あるいは少なくてすみ、このことも本発明による施工の容易化を助長する。
【００１９】
請求項２の発明によれば、前記パッキンを前記断熱パネルの周囲に貼り付けて設けたので、断熱パネルを横架材や登り梁等で囲まれた空間に嵌め込むだけで十分な気密性を確保することができ、施工がより容易となる。
【００２０】
請求項３の発明によれば、前記断熱パネルの側部に断熱パネルどうしを相互に重ね合わせる段差部を有し、前記段差部の上下に対向する面の一方の面に、相互の隙間を閉塞するパッキンを備えたので、複数の断熱パネルを並べて施工する場合、断熱パネル間の気密性がより向上する。
【００２１】
請求項４の発明によれば、横架材の対向面に断熱パネル支持用受部材を工場で設けておき、これらの受部材に、工場で製造された断熱パネル両端の欠除部を嵌めて断熱パネルを横架材間に上方から嵌め込んで取付けるようにしたので、断熱パネルからなる屋根断熱構造体の施工を容易に行なうことができる。
【００２２】
また、横架材に断熱パネル支持用受部材を工場にて設けておくため、この受部材の設置位置の精度が高くなり、その上、断熱パネルが、屋根の傾斜に沿って斜めに対向する２つの横架材にそれぞれ設けた受部材により支持されるので、断熱パネルを現場で切断して施工しかつ対向面の片側に設けた受部材で支持する場合に比較し、施工における断熱パネルの取付け位置や傾斜等のばらつきが小さくなり、良好な気密性が得られる。
【００２３】
また、断熱パネルの上面と垂木との間に通気層となる隙間を形成したので、屋根材の下面における左右方向の通気性が確保される。また、前述のような断熱パネルの位置精度が高まるので、前記通気層となる隙間が一定幅で確保でき、左右方向の通気性が確実に確保できる。
【００２４】
また、前述のように断熱パネルを精度良く施工することが可能であるため、横架材と断熱パネルとの間の隙間にシール材で詰める等の後作業が不要あるいは少なくてすみ、このことも本発明による施工の容易化を助長する。
【００２５】
また、断熱パネル支持用受部材の取付けや断熱パネルの端面における傾斜面や欠除部の形成は工場において量産体制で行なうことが可能であり、安価に実施できる。
【００２６】
また、パッキンを断熱パネルの周囲に貼り付けて設けたので、施工現場において横架材や断熱パネル支持用受部材にパッキンを貼り付けることなく、断熱パネルを横架材や登り梁等で囲まれた空間に嵌め込むだけで十分の気密性を確保することができ、施工がより容易となる。
【００２７】
請求項５の発明によれば、断熱パネルの側部に相互に重ね合わされる段差部を設け、段差部を構成する上下に対向する面の一方の面にパッキンを設け、段差部における相互の隙間を閉塞するパッキンで閉塞するようにしたので、複数の断熱パネルを並べて施工する場合、断熱パネル間の気密性がより向上する。
【図面の簡単な説明】
【００２８】
【図１】本発明の屋根断熱構造の一実施の形態を施工状態で示す斜視図である。
【図２】本発明の屋根断熱構造の一実施の形態を図１の後の施工状態で示す斜視図である。
【図３】本実施の形態の断熱パネルの配置構造を示す横断面図である。
【図４】この実施の形態の断熱パネルのうち、左右に断熱パネルを並設する断熱パネルの構造を示すものであり、（Ａ）は平面図、（Ｂ）は左側面図、（Ｃ）は右側面図、（Ｄ）は正面図、（Ｅ）は底面図である。
【図５】この実施の形態の断熱パネルのうち、右側に断熱パネルを並設する断熱パネルの構造を示すものであり、（Ａ）は平面図、（Ｂ）は左側面図、（Ｃ）は右側面図、（Ｄ）は正面図、（Ｅ）は底面図である。
【図６】この実施の形態の断熱パネルのうち、左側に断熱パネルを並設する断熱パネルの構造を示すものであり、（Ａ）は平面図、（Ｂ）は左側面図、（Ｃ）は右側面図、（Ｄ）は正面図、（Ｅ）は底面図である。
【図７】本実施の形態の断熱パネルの配置構造を示す側面図である。
【図８】（Ａ）、（Ｂ）はそれぞれ図７の母屋梁側、軒桁側の断熱パネルの取付け構造を示す側面図である。
【図９】この実施の形態の断熱パネルの登り梁との当接構造を示す横断面図である。
【図１０】この実施の形態の断熱パネルの側部どうしの組み合わせ構造を示す横断面図である。
【図１１】（Ａ）は従来の屋根断熱構造の一例を示す側面図、（Ｂ）はその断熱材の取付け作業状態を下方から見た斜視図である。
【図１２】従来の断熱パネルの施工方法の一例を示すもので、（Ａ）は工場出荷の際の断熱パネルを示す断面図、（Ｂ）は現場における断熱パネルの切断を示す断面図、（Ｃ）は施工後の状態を示す断面図である。
【図１３】従来の屋根断熱構造の他の例を示すもので、（Ａ）は工場出荷の際の断熱パネルを示す斜視図、（Ｂ）は施工後の状態を示す側面図である。
【発明を実施するための形態】
【００２９】
図１および図２は本発明による屋根断熱構造の一実施の形態を施工の途中の工程で示す斜視図である。図１、図２において、１は隅柱、２は軒桁、３は小屋梁、４は棟木、５は束６により支持された登り梁、７は母屋梁、８Ａ〜８Ｃは断熱パネル、９は垂木である。断熱パネル８Ａ〜８Ｃは、押出法ポリスチレンフォーム等の各種発泡プラスチックを用いることができる。この実施の形態においては、軒桁２と登り梁５と母屋梁７とで矩形に構成された１つの区画に４枚の断熱パネル８Ａ〜８Ｃが横並びに設置される例を示す。図１に示すように断熱パネル８Ａ〜８Ｃを設置した後、図２に示すように、軒桁２、母屋梁７および棟木４に垂木９を載せて固定具（図示せず）により固定する。
【００３０】
図１および図３の断面図に示すように、断熱パネル８Ａは両側に断熱パネルが並設されるものであり、８Ｂ，８Ｃはそれぞれ右側、左側に断熱パネル８Ａが隣接し、他側に登り梁５が隣接する断熱パネルである。図３において、１０は垂木９の上に固定具（図示せず）により固定される屋根下地材である。
【００３１】
図４（Ａ）は断熱パネル８Ａを示す平面図、同（Ｂ）はその左側面図、同（Ｃ）はその右側面図、同（Ｄ）はその正面図、同（Ｅ）はその底面図である。断熱パネル８Ａは１枚の板材を成形するかあるいは切断加工により形成してもよいが、この例においては２枚の板材８０，８１を貼り合わせることにより、１枚の断熱パネル８Ａを構成した例を示す。他の断熱パネル８Ｂ，８Ｃも同様である。
【００３２】
図４（Ｂ），（Ｃ）に示すように、断熱パネル８Ａの両端面８ａ，８ｂ、すなわち棟木４または母屋梁７あるいは棟木４となる横架材に対向する面８ａと、母屋梁７または軒桁２となる横架材に対向する面８ｂは、断熱パネルの上面８ｃや下面８ｄに対して、屋根が傾斜した分だけ傾斜した面に形成される。
【００３３】
断熱パネル８Ａの両端面８ａ，８ｂには、後述の断熱パネル支持用受部材１１，１２（図７、図８参照）に載せる欠除部８ｅ，８ｆが形成される。また、図４（Ｄ）に示すように、断熱パネル８Ａの左右の側部には、段差部８ｇ，８ｈが形成される。一方の段差部８ｇは、図４（Ｄ）に示すように、上部材８０を下部材８１に対して側方にＷ１だけ突出させることにより形成される。他方の段差部８ｈは、下部材８１を上部材８０に対して側方に前記突出幅Ｗ１と同じ幅Ｗ２（Ｗ１＝Ｗ２）だけ突出させることにより形成される。
【００３４】
１３ａ，１３ｂはそれぞれ欠除部８ｅ，８ｆにおける下向きの面に貼り付けられた気密性保持用のパッキン、１３ｃは段差部８ｇの下向きの面に貼り付けられた気密性保持用のパッキンである。
【００３５】
図５は左側側部が登り梁５に当接する断熱パネル８Ｂの構造を示す図であり、図５（Ａ）〜（Ｅ）はそれぞれ図４（Ａ）〜（Ｅ）に対応する。この断熱パネル８Ｂは、左側に断熱パネルが無く、登り梁５に当接するため、下向きの面を有する前記段差部８ｇを有していない。１３ｄは図９に示すように登り梁５に当接する面に貼り付けられた気密性保持用のパッキンである。
【００３６】
図６は右側側部が登り梁５に当接する断熱パネル８Ｃの構造を示す図であり、図６（Ａ）〜（Ｅ）はそれぞれ図４（Ａ）〜（Ｅ）にそれぞれ対応する。この断熱パネル８Ｃは、右側に断熱パネルが無く、登り梁５に当接するため、上向きの面を有する前記段差部８ｈを有していない。１３ｅは登り梁５に当接する面に貼り付けられた気密性保持用のパッキンである。
【００３７】
この断熱パネル等を用いて屋根を構築する場合は、軒桁２、母屋梁７または棟木４となる横架材を工場で製造する際に、同時に相互の対向面に図７、図８（Ａ）、（Ｂ）に示すように断熱パネル支持用受部材１１，１２をねじ等の固定具１４，１５により固定しておく。また、断熱パネル８Ａ〜８Ｃの横架材対向面には、工場において、上下面に対して傾斜した横架材対向面８ａ，８ｂと、前記受部材に嵌める欠除部８ｅ、８ｆとを形成しておく。また、図７に示すように、横架材対向方向の断熱パネルの幅Ｌを、設計されている隣接横架材間隔に合わせて形成しておく。
【００３８】
さらに工場において、図８（Ａ）、（Ｂ）に示すように、断熱パネル８Ａ〜８Ｃの周囲の欠除部８ｅ，８ｆにおける受部材１１，１２に対向する面にパッキン１３ａ，１３ｂを貼り付けておく。また、図１０に示すように、断熱パネル８Ａ，８Ｃの段差部８ｇにおける下向きの面にパッキン１３ｃを貼り付けておく。また、図９に示すように、断熱パネル８Ｂの登り梁５に対向する面にパッキン１３ｄを貼り付けておく。断熱パネル８Ｃの登り梁５に対向する面にも図６に示したパッキン１３ｅを貼り付けておく
【００３９】
そして、図３において左側の断熱パネル８Ｂから８Ａ、８Ｃの順序で、既に構築されている軒桁２と母屋梁７との間、母屋梁７と棟木４との間の空間に上方から断熱パネル８Ａ〜８Ｃを嵌め込むことにより断熱パネル８Ａ〜８Ｃを施工する。このとき、図８（Ａ）、（Ｂ）に示すように、断熱パネル８Ａ〜８Ｃの欠除部８ｅ，８ｆを受部材１１，１２に嵌めてこれらの断熱パネル８Ａ〜８Ｃを軒桁２と母屋梁７との間、母屋梁７と棟木４との間に固定する。ここで図９に示すように、最初に施工する断熱パネル８Ｂはその側部に設けたパッキン１３ｄを登り梁５の側部に当接させる。また、断熱パネル８Ｂと８Ａ、８Ａと８Ａ、８Ａと８Ｃの段差部８ｈと８ｇとが重なる箇所においては、図１０に示すように、パッキン１３ｃが上下の対向面で挟持される。
【００４０】
なお、この断熱パネル８Ａ〜８Ｃの施工の際に、風によるこれらの断熱パネル８Ａ〜８Ｃの外れを防止するため、必要に応じて固定具（図示せず）により断熱パネル支持用受部材１１，１２または軒桁２、母屋梁７あるいは棟木４に固定する。このように断熱パネル８Ａ〜８Ｃを施工した状態では、図３、図７、図８に示すように、断熱パネル８Ａ〜８Ｃの上面と垂木９との間に通気層となる隙間ｇが形成され、図３の矢印Ｘで示すように、左右方向の通気性が確保される。
【００４１】
上述したように、この実施の形態においては、軒桁２、母屋梁７または棟木４からなる横架材の対向面に断熱パネル支持用受部材１１，１２を工場で設けておき、これらの受部材１１，１２に、工場で製造された断熱パネル８Ａ〜８Ｃの両端の欠除部８ｅ，８ｆを嵌めて断熱パネル８Ａ〜８Ｃを軒桁２、母屋梁７または棟木４からなる横架材間に上方から嵌め込む構造としたので、断熱パネル８Ａ〜８Ｃの施工を容易に行なうことができる。
【００４２】
また、断熱パネル支持用受部材１１，１２を設けた横架材を工場にて設けておくため、この受部材１１，１２の設置位置の精度が高くなり、その上、断熱パネル８Ａ〜８Ｃが、横架材の対向面にそれぞれ設けた受部材１１，１２により支持されるので、特許文献１に記載のように、断熱パネルを現場で切断して施工し、かつ対向面の片側（下側）に設けた受部材で支持する場合に比較し、施工における断熱パネルの取付け位置や傾斜等のばらつきが小さくなり、良好な断熱性が得られる。
【００４３】
また、断熱パネル８Ａ〜８Ｃの上面と垂木９との間に通気層となる隙間ｇを形成したので、屋根材１０の下面における左右方向の通気性が確保され、通気性不足による結露を防止することができる。また、前述のように断熱パネル８Ａ〜８Ｃの設置精度が高まるので、通気層となる隙間ｇが一定幅で確保でき、左右方向の通気性が確実に確保できる。
【００４４】
また、断熱パネル８Ａ〜８Ｃを精度良く施工することが可能であるため、横架材である軒桁２、母屋梁７、棟木４と断熱パネル８Ａ〜８Ｃとの間の隙間にシール材で詰める等の後作業が不要となるかあるいは少なくてすみ、このことも本発明による施工の容易化を助長する。
【００４５】
また、断熱パネル支持用受部材１１，１２の取付けや断熱パネル８Ａ〜８Ｃの端面における傾斜面８ａ，８ｂや欠除部８ｅ，８ｆの形成は工場において量産体制で行なうことが可能であり、安価に実施できる。
【００４６】
また、上記実施の形態においては、工場において、パッキン１３ａ〜１３ｅを断熱パネル８Ａ〜８Ｃの周囲に貼り付けて設けたので、施工現場において横架材（軒桁２、母屋梁７、棟木４）や断熱パネル支持用受部材１１，１２にパッキンを貼り付けることなく、断熱パネル８Ａ〜８Ｃを横架材や登り梁５等で囲まれた空間に嵌め込むだけで十分の断熱性を確保することができ、施工がより容易となる。
【００４７】
また、上記実施の形態においては、断熱パネル８Ａ〜８Ｃの側部に断熱パネルどうしを相互に重ね合わせる段差部８ｇ，８ｈを有し、これらの段差部８ｇ，８ｈの上下に対向する面の一方の面に、相互の隙間を閉塞するパッキン１３ｃを備えたので、複数の断熱パネルを並べて施工する場合、断熱パネル間の気密性がより向上する。
【００４８】
上記実施の形態においては、登り梁５，５と横架材との間に形成された空間に複数枚の断熱パネル８Ａ〜８Ｃを嵌め込む例を示したが、登り梁５，５と横架材との間に形成された空間に１枚の断熱パネルを嵌め込む場合にも本発明を適用することができる。また、母屋梁７が隣接して複数枚ある場合、その母屋梁７，７間に断熱パネル８Ａ〜８Ｃを設けることもできる。
【００４９】
また、横架材と断熱パネル８Ａ〜８Ｃとの間に設けるパッキン１３ａ，１３ｂは、必ずしも受部材１１，１２に載せる欠除部８ｅ，８ｆに設ける必要はなく、傾斜面８ａ，８ｂにパッキン１３ａ，１３ｂを設けてもよい。しかしこのパッキン１３ａ，１３ｂを、欠除部８ｅ，８ｆの受部材１１，１２に載せる面に設けることにより、施工時においてパッキン１３ａ，１３ｂがめくれる虞がなく、気密性が良好に保たれるという利点がある。
【符号の説明】
【００５０】
１：隅柱、２：軒桁、３：小屋梁、４：棟木、５：登り梁、７：母屋梁、８Ａ〜８Ｃ：断熱パネル、８ａ，８ｂ：傾斜面、８ｅ，８ｆ：欠除部、８ｇ，８ｈ：段差部、９：垂木、１０：屋根材、１１，１２：受部材、１３ａ〜１３ｅ：パッキン、１４，１５：固定具
【図１】
2012117283.tif 000003
【図２】
2012117283.tif 000004
【図３】
2012117283.tif 000005
【図４】
2012117283.tif 000006
【図５】
2012117283.tif 000007
【図６】
2012117283.tif 000008
【図７】
2012117283.tif 000009
【図８】
2012117283.tif 000010
【図９】
2012117283.tif 000011
【図１０】
2012117283.tif 000012
【図１１】
2012117283.tif 000013
【図１２】
2012117283.tif 000014
【図１３】
2012117283.tif 000015